(57)【要約】      （修正有）【課題】「ひらめきやアイデアなど」に関する知的財産権検索を代行し、代行出願する方法を提供する。【解決手段】インターネット上に会員制のホームページを設け、こんな商品を実現したいという案件に対する「ひらめきやアイデアなど」を募集し、応募案件に対する知的財産権検索の代行を応募者の委託によって行い、知的財産に抵触していないかを確認し、さらに知的財産権出願を代行する。「ひらめきやアイデアなど」の出願後あるいは権利化後、応募者と売買契約またはライセンス契約等をする。【選択図】図１
2011248446.tif 000002
【特許請求の範囲】
【請求項１】
新規会員になる旨を希望した応募者に対して会員として登録することと、システムにログインを許可する新規会員及び会員ログイン許可システム部と
前記新規会員及び会員ログイン許可システム部により許可された会員に対して、その会員用ホームページで「あなたのひらめき権利化します（など）（バナー広告など）」広告を出し募集の対象となる応募案件に対して募集する知的財産権代行出願受付部と、
前記受付ステップで応募者が事前に応募内容の知的財産権検索をかけて抵触していないか確認する知的財産権検索ステップまたは、知的財産権検索を応募者が代行を委託した場合、代行して知的財産権検索して他の知的財産に抵触していないか確認する知的財産権部ステップと、
応募者の依頼により出願を代行する知的財産権出願代行部ステップと、
前記応募者（会員）ログインステップでログインした応募者と売買契約またはライセンス契約する（ここには希望販売価格の提示と価格交渉も含める）売買決済部ステップと売買契約により成果物に対する対価の支払いまたは、ライセンス料等の支払いと、商品を販売したときの販売金を入出力する資産入出力部ステップと
を具備することを特徴とする電子的知的財産出願代行募集方法。
【請求項２】
知的財産権を代行出願する旨をネットワークを介して開示する運営システムに会員として新規登録とシステムへのログインを許可する新規会員登録システムと会員ログインシステムはログインIDを付与すること、または任意のID登録と任意パスワードを設定できること、または、仮ID発行または仮IDと仮パスワード発行を登録された連絡先に送信して、応募者が本登録する時に、任意のIDと任意のパスワードを設定できること、また前記新規会員登録システムと会員ログインシステムを管理運営すること、
を具備することを特徴とする電子的知的財産出願代行募集方法。
【請求項３】
知的財産権代行出願する旨をネットワークを介してホームページ上に公開する表示部と、
前記表示部によって開示された知的財産代行出願に対する応募者を募集する知的財産代行出願受付部と、
を具備することを特徴とする電子的知的財産出願代行募集用サーバ装置。
【請求項４】
知的財産権代行出願する旨をネットワークを介してホームページ上に公開する表示部について、応募を希望する旨の新規会員を登録及び管理及び会員のログインを許可する新規会員登録と会員ログインを許可するシステム部と
を具備することを特徴とする電子的知的財産出願代行募集用サーバ装置。
【請求項５】
前記知的財産権代行出願する旨をネットワークを介してホームページ上に表示する表示部と
を具備する請求項4記載の電子的知的財産出願代行募集方法及び電子的知的財産出願代行募集用サーバ装置。
【請求項６】
前記新規会員希望者がIDの取得希望する旨に対してIDを付与すること、あるいは任意のＩＤを取得または付与できること、また任意のパスワードを取得または付与できること、または仮IDまたは、仮IDと仮パスワード発行を登録された連絡先に送信して本登録にて任意のIDと任意のパスワードを付与または取得できること
を具備する電子的知的財産出願代行募集用サーバ装置。
【請求項７】
知的財産権代行出願する旨をネットワークを介してホームページ上に公開する表示部と、
前記表示部に表示された前記募集案件に対する応募者の委託に対して代行して知的財産権検索を行う代行サービスを持つこと
を特徴とする電子的知的財産出願代行募集方法及び電子的知的財産出願代行募集用サーバ装置。
【請求項８】
前記ログインIDとパスワードにて本システムにログインすることで知的財産権代行出願する旨をネットワークを介してホームページ上に公開する表示部と
前記表示部により、応募を希望する応募情報を入力する入力部と
を具備することを特徴とする電子的知的財産出願代行募集方法及び電子的知的財産出願代行募集用サーバ装置。
【請求項９】
前記入力部で入力され、前記ログインIDとパスワードにより本システムにログインできることを具備したことを特徴とすること請求項１〜８記載の電子的知的財産出願代行募集方法及び電子的知的財産出願代行募集用サーバ装置。
【請求項１０】
本システムが表示された画面上に新規会員登録ボタンにより会員として任意のログインIDと任意のパスワードが付与または取得できることと、または、仮IDの発行、または仮IDと仮パスワードの発行を登録された連絡先に送信して、任意のIDと任意のパスワードを付与または取得でき本登録できること、
新規会員ログインボタンを併設して既会員は既会員ログインボタンから登録された任意のIDと登録された任意のパスワードでログインでき、知的財産権代行出願する旨をネットワークを介してホームページ上に公開表示部すること、
前記会員新規登録システムと会員ログインシステムを管理すること、
を特徴とする請求項９記載の電子的知的財産出願代行募集方法及び電子的知的財産出願代行募集用サーバ装置。
【請求項１１】
請求項4記載の電子的知的財産出願代行募集用サーバ装置としてコンピューターや演算装置を機能させるためのプログラムが記録された記録媒体。
【請求項１２】
請求項8記載の電子応用端末装置としてコンピュータや、通信ができる携帯端末などを機能させるためのプログラムが記録された記録媒体。
【請求項１３】
請求項1１及び請求項1２のプログラムをネットワークを介してダウンロードできるシステムを具備すること、
を特徴とする電子的知的財産出願代行募集方法及び電子的知的財産出願代行募集用サーバ装置。
【請求項１４】
請求項１から１３により知的財産代行出願した、あるいは出願中の知的財産とともに同じシステム上で販売すること
を特徴とする電子的知的財産出願代行募集方法及び電子的知的財産出願代行募集用サーバ装置。
【請求項１５】
請求項１４の販売を現存する一般入札方式（オークションシステム）で販売すること
を特徴とする電子的知的財産出願代行募集方法及び電子的知的財産出願代行募集用サーバ装置。
【発明の詳細な説明】
【技術分野】
【０００１】
この発明は、インターネットなどのネットワークを介して「ひらめきやアイデア」を募集し、応募に対して知的財産権代行出願、また、そのライセンス契約等を行うことができる電子的知的財産出願代行募集方法、公開知的財産権売買またはライセンス契約システムなどに関する。
【背景技術】
【０００２】
現在世の中には「ひらめきやアイデアなど」を持っているが、知的財産権出願など、権利化する方法をしらない等、案は持っているが盗まれたくない、どうしたらいいのかわからないといった方々が沢山いる。それをどうしたら案を盗まれずに権利化できるか敷居が高くてわからないといった問題点があった。
【先行技術文献】
【特許文献】
【０００３】
【特許文献１】国開WO01／０６５４３３号公報
【発明の概要】
【発明が解決しようとする課題】
【０００４】
本発明は権利化したいと思った時にまず、知的財産権が抵触しないか調査することから始まる。知的財産権に抵触しない、もしくは、抵触しそうな知的財産権を回避しながら権利化する。出願代行サービスは会員制のWebサイトなどで「あなたのひらめきやアイデアなどを権利化します」といった例えばバナー広告を会員制Webサイトで常に表示して、それに応募することで履歴が残り、盗まれることが無いようシステム化する。
【０００５】
「ひらめきやアイデアなど」が自分で知的財産権検索できない場合は知的財産権検索代行サービスを設け、知的財産権に抵触していないかを判断する。抵触していない事を確認したあるいは、公開されているものがあれば回避するなど、「ひらめきやアイデアなど」代行出願する。出願後あるいは権利化後に応募者とその対価の売買契約または、ライセンス契約等をする。この売買契約またはライセンス契約の中には、応募者からの希望販売金額の提示と募集者側との価格交渉もすることができる。
【０００６】
このように行うことによって、知的財産権侵害しない知的財産権の権利化ができ、発明者の知的財産権の保護とともに安価にお客様の満足する商品がスピーディーに提供できる。本発明はその方法を提供することを目的とする。
【課題を解決するための手段】
【０００７】
（１）上記目的を達成するために、本発明に係わる電子的知的財産出願代行募集方法は、新規会員登録システムと会員ログインシステム部によりＩＤを取得した会員による知的財産権代行出願受付ステップと、前記応募受付部で受け付けた応募者の案に対して知的財産権検索代行をするサービスを行う知的財産権検索代行サービス部と、応募者の「ひらめきやアイデアなど」を代行出願する知的財産権代行出願部と、出願後あるいは、知的財産登録後に対価に対する売買契約もしくはライセンス契約を結び応募者の成果物を購入し、それを一番欲している部門や社外に売買契約やライセンス契約を実行することを特徴とする。
この発明によれば、世界中の人たちの「ひらめきやアイデアなど」を知的財産権として権利化でき、世界中のインターネット参加者の知恵を結集することができる。
【０００８】
（２）   また、本発明に係わる電子的知的財産出願代行募集システムは、「ひらめきやアイデアなど」を権利化の敷居を下げ、優良な発明を発明
者の権利として保護を行うことで盗まれること無く、その対価を受け取れる開かれた世界を構築する。
応募募集を行う旨及び詳細情報をネットワークを介して開示する運営システムに会員として新規登録とシステムへのログインを許可する応募受付ステップはログインIDを付与するまたは任意のＩＤを取得または登録して、パスワードを取得または登録すること、または、仮IDの発行、または仮IDと仮パスワードの発行を登録された連絡先に送信して、任意のIDと任意のパスワードを付与または取得でき本登録できることを具備することを特徴とする電子的知的財産出願代行募集方法で全世界のネット参加者によるスピーディーな権利保護が可能となる。
【０００９】
（３）また、本願に係わる電子的知的財産出願代行募集方法または、電子的知的財産出願代行募集用サーバ装置は、募集対象となる応募案件の詳細情報をネットワークを介して公開する表示部と、前記詳細情報表示部によって開示された案件に対する応募者を募集する知的財産権代行出願受付部と、
を具備することを特徴とする。
この発明によれば全世界のインターネット参加者の知恵を結集することができ、スピーディーに知的財産の権利化ができる。
【００１０】
（４）本発明に係わる電子的知的財産出願代行募集システムは、応募の対象となる応募案件について、応募を希望する旨の新規会員を登録及び管理及び会員のログインを許可する新規会員登録と会員ログインを許可するシステム部とを具備することを特徴とする電子的知的財産出願代行募集方法及びサーバ装置を持つことにより、ログインＩＤとパスワードによりシステムに入り募集仕様（知的財産出願代行の詳細内容）を閲覧でき、自分の「ひらめきやアイデアなど」を権利化でき、権利を保護され、対価も受け取ることができる。
【発明の効果】
【００１１】
本発明に係わる電子的知的財産出願代行募集方法または電子的知的財産出願代行募集用サーバー装置は、前記ＩＤ会員にのみ詳細情報を開示することを具備する電子的知的財産出願代行募集方法及び電子的知的財産出願代行募集用サーバ装置が特徴であり、会員制で売買契約やライセンス契約等をＩＤ取得者と行い全世界のインターネット参加者の知恵を結集することができ、スピーディー知的財産の代行出願ができる。
【発明を実施するための形態】
【００１２】
以下、この発明の実施形態を図面を用いて説明する。
【００１３】
図１は、本発明の１実施形態としての電子的知的財産出願代行募集システムの構成を表すブロック図である。
【００１４】
図１に示すように詳細情報を開示する側の電子的知的財産出願代行募集用サーバー装置100と応募者側の電子的応用端末装置200a、200bがインターネット300を通じて通信可能となっている。図１には、分かり易さのために電子的応募用端末装置200は2つのみ示されているが、実際には応募者はもっと多数（全世界のインターネット参加者）いて、電子的応募用端末200の数も応募者の数に応じてあるものとする。また、最近では携帯端末からも通信可能なことからどのような電子的応用端末でもインターネットに参加できるものは対象となる。
【００１５】
図１にしめされるように、電子的知的財産出願代行募集方法または、電子的知的財産出願代行募集用サーバ装置100は新規会員登録システムと会員ログイン部101、知的財産権代行出願受付部102、知的財産権検索代行部103、表示部104、入力部105、知的財産権出願代行部106、売買決済部107、資産入出力部108、送受信部109より構成される。
【００１６】
新規会員登録システムと会員ログイン部101には、任意IDの取得または設定ができる、また、任意のパスワードを取得または設定を行うことができる。また、セキュリティー上仮IDまたは、仮IDと仮パスワードを登録された連絡先に送信して本登録用することも一つの手段である。ネットワークを介して表示部104は、募集案件についての詳細情報の開示を示す。
【００１７】
知的財産権代行出願受付部102はログインIDとパスワードにより本システムに入り、「ひらめきやアイデアなど」の成果物をアップロードする。その時、知的財産権検索して事前に抵触していないことを確認して検索結果を添付するか、知的財産権検索代行サービスを用いて非抵触を事前に確認していただく。
【００１８】
表示部104は  情報の表示を行うCRT,LCD等の表示手段である。
【００１９】
入力部105は、情報の入力を行う、例えばキーボード、マウス、１０キーや携帯端末のボタンや表示部そのものがタッチパネルになっている等の入力手段である。
【００２０】
知的財産権出願代行部106は知的財産権出願の敷居が高いと感じる応募者の委託により代行するサービスである。
【００２１】
売買決済部107は応募された成果物を審査して応募者に対してその対価を支払うまたは、ライセンス契約等の契約を行う。また、ここには希望販売価格の提示と価格交渉もできる。
【００２２】
資産入出力部108は売買契約部により契約された対価の支払い、また、権利化したとき知的財産権の販売金の入出金を行う。
【００２３】
送受信部109は、インターネットを通じて募集者の電子的応募用端末装置200と情報の送信、受信を行う。
【００２４】
図１に示されるように、電子的応募用端末装置200は、インターネットを通じて募集者の電子的知的財産出願代行募集用サーバ装置100と情報の送信、受信を行う送受信部201、情報の表示を行うCRT,LCD等の表示部202、情報の入力を行う、例えばキーボード、マウス、１０キーや携帯端末のボタンや表示部そのものがタッチパネルになっている等の入力部203により構成される。
【００２５】
図2に、図１に示した詳細情報公開システムにおける応募者の手続きと、募集側が端末装置により行う手続きの流れを示す。
【００２６】
まず、募集者はA1において会員制のホームページを準備する。
【００２７】
次に募集者はA2において会員の新規登録とログイン許可のシステムを準備する。
【００２８】
次に募集者はA3において、インターネットのホームページ上に例えば「あなたのひらめきやアイデア権利化します」など広告など（バナー広告など）を表示させる。
【００２９】
次に募集者はA4において応募の詳細仕様を作成して、電子的公開募集用サーバ装置100を用いて、インターネットのホームページに公開する。
【００３０】
募集品の応募者となり得る応募者は、これを、ステップB１からB３を行うことで電子的応募用端末装置200を用いて詳細仕様ホームページを見ることが出来る。これは、画面上部に「電子的知的財産権代行出願の説明」、「電子的知的財産権代行出願のシステムの使い方」、「個人情報の取扱い方針」、「知的財産権検索代行サービスの説明と利用方法」などを一覧表示またはボタンを配置し、すべての内容に同意することにより応募できるものとする。（図３参照）
【００３１】
ホームページは新規会員登録ボタンと既会員ログインボタンを設けてある。
【００３２】
まず、新規会員登録について説明する。新規会員登録ボタンをクリックすることで図4のような任意ID登録入力BOX、またはそれに代替できるもので任意のIDを入力する。
【００３３】
続いて任意のパスワードの入力画面またはそれの代替できるもので任意のパスワードを入力する。任意のパスワードは再度入力する画面またはそれの代替できるもので再度入力して誤り防止を構成する。また、IDは早く取得した人に優先権があり、同じIDは登録できないものとする。IDとパスワードの桁数は制限はない。しかし、推奨として6〜8までの英数字の組み合わせを推奨とする。
【００３４】
また、入力画面２０は直接入力したものとは違うものが入力されるように事前に暗証番号表や例えば英数字をランダムに配置するかそれぞれの下に設けるボタン内にランダムな英数字を設けて任意のIDと任意のパスワードが盗み取られない工夫もできる。
【００３５】
また、新規会員登録ボタンをクリックすると受信用e-mailアドレス入力欄とその下に再度確認用のe-mailアドレス入力欄を設けて、仮のIDと仮のパスワードを送信して再度ログイン画面にて既会員ログイン画面から仮IDと仮パスワードを入力し、本登録用の任意の前記と同じようにID登録と任意のパスワード登録という2重の階層にしても良い。
【００３６】
会員としてIDとパスワードを登録が終わると次回からは既会員ログインボタンをクリックして登録したIDとパスワードで本システムに参加できる。
【００３７】
本システムに最初に参加した場合は、応募者情報の登録画面の図６に遷移する。
ここでは、基本個人情報または法人情報を登録する。例えば、企業名、本社住所、代表者氏名、電話番号、利用者名、e-mailアドレス、ホームページアドレスなどを入力する。また、応募者情報取扱いについての同意の意思表示をすることが必要である。
また、ここで信頼性の高いシステム構築には公的機関の書類を受け付けての会員登録としてもよい。（図2のステップB2）
【００３８】
応募者情報登録が終わり、応募者情報の取扱いに同意頂くと図７のホームページに遷移する。このホームページは「特許庁の検索ホームページ」であり、検索でき、募集者が類似知財権を「検索」ボタンをクリックすることで、検索することができる、また抵触しているようであれば抵触しないように「ひらめきやアイデアなど」を修正することができる。
【００３９】
上記のように図７に示すホームページで知的財産権検索をクリックすると、図８に示すように現在、公開されている件名が図８のメイン表示部に詳細情報開示案件リスト表示される（図2のステップB3 ）。
【００４０】
この画面には、例えば検索した類似特許の公報名が表示できるようになっており、知りたい特許公報についてダウンロードボタンをクリックすることで公報がダウンロードできる。
【００４１】
また、特許検索データベースを蓄積して独自に特許検索ができるようにもすることができ、例えば応募者が図７の画面上で例えば上から3番目の検索結果である「ピエゾ素子を駆動させるソフトウェア」の内容を知りたい場合、この商品名「ピエゾ素子を駆動させるソフトウェア」上をクリックすると、図８に示すように、このピエゾ素子の特許公報などの内容（まとめて詳細仕様）を別のウィンドウが立ち上がり、見ることが出来る。これも図2におけるステップB3である。
【００４２】
応募者が図８の特許公報などを見て、この公報と抵触していないと確認が取れれば、検索結果を添付して（図2のステップB4からB7）、知的財産権出願代行サービスにアイデアの送信２１をクリックして応募が完了する。（図２のステップB8）
【００４３】
また、図５のログイン後の画面に示すようにメイン表示部２０には前回の閲覧した履歴が表示されてもよい。また、左側、または上部、または右側、下側または、真ん中等にフレーム機能を利用した会員用メニューが表示される。
【００４４】
図１０のように応募があった募集案件を募集側が審査して売買決済を行う。売買決済には交渉する場合もある。また、知的財産権の取得には改善の余地ありの場合、図１０のように修正依頼をかけることができる。
【００４５】
図１０のように修正依頼があった案件に対して改善して再応募も受け付ける。
【００４６】
図１１のように売買契約が成立した募集案件に対して応募者の振込み情報を入力し、図１２のように知的財産権代行出願依頼をかけることができる。
また、このシステムで権利化された商品の販売の集金も売買決済部で行う。
【００４７】
図１３のように上記システムにて出願中または知的財産権が登録されたら、本システムで取得した知的財産権、または出願中の知的財産権とともに販売することができる。
販売は本システムから本会員による直接購入ができる。
本運営システムはオークションという競売形態を取り、より高く販売できる仕掛けも準備している。
【図面の簡単な説明】
【００４８】
【図１】図１は、本発明の１実施形態としての電子的知的財産権代行出願システムの構成を表すブロック図である。
【図２】図２は、図１に示す電子的知的財産権代行出願システムにおける応募手続きの流れを表すフロー図である。
【図３】図３は、本発明の1実施形態における、電子的知的財産権代行出願システムの会員登録画面及び既会員ログイン画面の一例を表す図である。
【図４】図４は、本発明の１実施形態における、電子的知的財産権代行出願システムの新規会員の任意ID登録と任意パスワード登録入力画面の一例を表す図である。
【図５】図５は、本発明の1実施形態における、電子的知的財産権代行出願システムの既会員ログイン画面の一例を表す図である。
【図６】図６は、本発明の1実施形態における、電子的知的財産権代行出願システムの会員の基本情報入力画面の一例を表す図である。
【図７】図７は、本発明の1実施形態における、電子的知的財産権代行出願システムの特許等の公報一覧の画面の一例を表す図である。
【図８】図８は、本発明の1実施形態における、電子的知的財産権代行出願システムの特許等の公報内容の表示の画面の一例を表す図である。
【図９】図９は、本発明の1実施形態における、電子的知的財産権代行出願システムのアイデア等の応募する画面の一例を表す図である。
【図１０】図１０は、本発明の1実施形態における、電子的知的財産権代行出願システムのアイデア等の修正依頼の送信画面の一例を表す図である。
【図１１】図１１は、本発明の1実施形態における、電子的知的財産権代行出願システムのアイデア等が出願中あるいは権利化された知的財産を売買契約が結ばれ対価を支払うための会員の基本情報の入力画面の一例を表す図である。
【図１２】図１２は、本発明の1実施形態における、電子的知的財産権代行出願システムのアイデア等知的財産権代行出願の依頼行う入力画面の一例を表す図である。
【図１３】図１３は、本発明の1実施形態における、電子的知的財産権代行出願システムの出願中ないし、知的財産権が登録になったものを購入するか、交渉後購入か、ライセンス契約など、売買契約するための画面の一例を表す図である。
【図１】
2011248446.tif 000003
【図２】
2011248446.tif 000004
【図３】
2011248446.tif 000005
【図４】
2011248446.tif 000006
【図５】
2011248446.tif 000007
【図６】
2011248446.tif 000008
【図７】
2011248446.tif 000009
【図８】
2011248446.tif 000010
【図９】
2011248446.tif 000011
【図１０】
2011248446.tif 000012
【図１１】
2011248446.tif 000013
【図１２】
2011248446.tif 000014
【図１３】
2011248446.tif 000015